【事件の表示】
　特願２０１４−５３９９０５「協調マルチポイントシステムにおける送信ポイントインジケーション」拒絶査定不服審判事件〔平成２５年　５月１０日国際公開、ＷＯ２０１３／０６６２０５、平成２６年１２月　８日国内公表、特表２０１４−５３３０３３〕について、次のとおり審決する。
【結　論】
　本件審判の請求は、成り立たない。
【理　由】
第１　手続の経緯
　本願は、２０１２年（平成２４年）３月２９日（パリ条約による優先権主張外国庁受理　２０１１年１１月４日　アメリカ合衆国）を国際出願日とする出願であって、その手続の経緯は以下のとおりである。 
　平成２６年　６月１１日　　　手続補正書の提出 
　平成２７年　５月　８日付け　拒絶理由の通知 
　平成２７年　６月　２日　　　意見書、手続補正書の提出 
　平成２７年１０月　５日付け　拒絶査定 
　　　　　　　　　　　　　　（謄本送達日平成２７年１０月１３日） 
　平成２８年　２月１５日　　　審判請求書、手続補正書の提出 
第２　平成２８年２月１５日付けの手続補正についての補正却下の決定
［補正却下の決定の結論］
　平成２８年２月１５日付けの手続補正を却下する。
［理由］
１．補正の内容
　平成２８年２月１５日付けの手続補正（以下、「本件補正」という。）は、平成２７年６月２日付けの手続補正により補正された特許請求の範囲（以下、「補正前の特許請求の範囲」という。）について、以下のとおりの特許請求の範囲（以下、「補正後の特許請求の範囲」という。）に補正することを含むものである。
（補正前の特許請求の範囲）
「【請求項１】
　複数のワイヤレス送信を受信することを容易にするためにユーザ機器（ＵＥ）によって用いられるための装置であって、前記装置は、
　複数の発展型ノードＢ（ｅＮＢ）を含む協調マルチポイント（ＣｏＭＰ）測定セットの複数の個々の発展型ノードＢ（ｅＮＢ）のそれぞれに関連づけられた複数の送信ポイントインデックスをそれぞれ含む複数の共通基準信号（ＣＲＳ）パラメータを受信し、
　前記協調マルチポイント（ＣｏＭＰ）測定セットの第１のｅＮＢに対応する送信ポイントインデックスを受信する
　通信モジュールと、
　前記通信モジュールに結合され、前記第１のｅＮＢの前記送信ポイントインデックスを含む前記複数の共通基準信号（ＣＲＳ）パラメータに基づいて物理下りリンク共有チャネル（ＰＤＳＣＨ）マッピングパターンを生成する、マッピングモジュールと
　を備える、装置。
【請求項２】〜【請求項２４】（省略）」
（補正後の特許請求の範囲）
「【請求項１】
　複数のワイヤレス送信を受信することを容易にするためにユーザ機器（ＵＥ）によって用いられるための装置であって、前記装置は、
　複数の発展型ノードＢ（ｅＮＢ）を含む協調マルチポイント（ＣｏＭＰ）測定セットの複数の個々の発展型ノードＢ（ｅＮＢ）のそれぞれに関連づけられ
た
　前記協調マルチポイント（ＣｏＭＰ）測定セットの第１のｅＮＢに対応する送信ポイントインデックスを含む下りリンク制御情報メッセージ（ＤＣＩメッセージ）を受信する
　通信モジュールと、
　前記通信モジュールに結合され、前記第１のｅＮＢの前記送信ポイントインデックスを含む前記複数の共通基準信号（ＣＲＳ）パラメータに基づいて物理下りリンク共有チャネル（ＰＤＳＣＨ）マッピングパターンを生成する、マッピングモジュールと
　を備え、
　前記複数のＣＲＳパラメータは、前記複数の個々の発展型ノードＢ（ｅＮＢ）のＣＲＳアンテナポートの数、ＣＲＳ周波数シフト及び送信ポイントインデックスを含み、
　前記複数のＣＲＳパラメータは、前記協調マルチポイント（ＣｏＭＰ）測定セットの第２のｅＮＢから受信され、
　前記ＤＣＩメッセージは、前記第１又は第２のｅＮＢから受信される、装置。
【請求項２】〜【請求項１５】（省略）」
２　本件補正の適合性
　本件補正は、補正前の請求項１に記載した発明を特定するために必要な事項である「通信モジュール」について、
「複数の共通基準信号パラメータ（複数のＣＲＳパラメータ）を無線リソース制御シグナリング（ＲＲＣシグナリング）を介して受信し、
　前記協調マルチポイント（ＣｏＭＰ）測定セットの第１のｅＮＢに対応する送信ポイントインデックスを含む下りリンク制御情報メッセージ（ＤＣＩメッセージ）を受信する」と限定するとともに、
「前記複数のＣＲＳパラメータは、前記複数の個々の発展型ノードＢ（ｅＮＢ）のＣＲＳアンテナポートの数、ＣＲＳ周波数シフト及び送信ポイントインデックスを含み、
　前記複数のＣＲＳパラメータは、前記協調マルチポイント（ＣｏＭＰ）測定セットの第２のｅＮＢから受信され、
　前記ＤＣＩメッセージは、前記第１又は第２のｅＮＢから受信される」と限定する補正事項を含むものであるから、特許法第１７条の２第５項第２号に規定する特許請求の範囲の減縮を目的としたものといえる。
　そこで、補正後の請求項１に記載された発明（以下、「本件補正発明」という。）が特許出願の際独立して特許を受けることができるものであるか否か（特許法第１７条の２第６項において準用する同法第１２６条第７項の規定に適合するか）について以下に検討する。
（１）引用例
ア　原査定の拒絶の理由に引用された、ETRI, Downlink control signaling for downlink CoMP, 3GPP TSG RAN WG1 Meeting #66bis, Zhuhai, China, 10th-14th, October 2011,  R1-113066（２０１１年１０月４日、以下「引用例」という。）には、図面とともに、次のとおりの記載がある（なお、下線は当審において付したものである。）。
（ア）「Title: 
Downlink control signaling for downlink CoMP
（当審訳：「タイトル：
ダウンリンクＣｏＭＰのためのダウンリンク制御シグナリング
（イ）「- The work for specifying 
CoMP support in Rel-11
   ・Joint transmission
   ・
Dynamic point selection
   ・Coordinated scheduling/beamforming, including dynamic point blanking
　- Specification in support of DL CoMP operation potentially including: 
   ・Enhancements and requirements on downlink reference signals 
     - enhancements to improve interference measurements
     - enhancements to identify and measure the downlink channel status of multiple transmission points
     - consider performance requirements for flexible mapping of antenna ports to transmission points
   ・
PDCCH extension and other enhancements on downlink control signalling
（当審訳：「−
リリース１１におけるＣｏＭＰ支援
　・協働送信
　・
動的ポイント選択
　・調整されたスケジューリング／ビームフォーミング、動的ポイントブランキングを含む
 −ＤＬ　ＣｏＭＰオペレーションの支援の仕様は、潜在的に以下を含む。
　・ダウンリンク参照信号の強化及び要求
　　-　干渉測定の改善のための強化
　　-　複数の送信ポイントのダウンリンクチャネル状態を確認及び測定するための強化
　　-　送信ポイントへのアンテナポートの柔軟なマッピングのための性能要求の検討
 ・
ダウンリンク制御シグナリングに関するＰＤＣＣＨの拡張及び他の強化
（ウ）「2.1 Transparent JP
In the CoMP scenarios 1, 2 and 3, each transmission point corresponds to a cell. Each cell may have different PDCCH region sizes and CRS configurations. 
CRS configurations here mean the number of CRS antenna ports and CRS frequency shift that is dependent on physical cell ID.
For the JP, the PDSCH may be transmitted from one or multiple cell(s) and the cell that transmits the DL assignment may or may not transmit the PDSCH. The PDSCH transmission is dependent on the PDCCH region sizes and CRS configurations of the cell(s) that transmits (transmit) the PDSCH. The cell(s) that transmits (transmit) the PDSCH is (are) referred to as Cell_PDSCH and the cell transmits the DL assignment is referred to as Cell_DLassignment for short hereafter.
（当審訳：「２．１透過的ＪＰ
ＣｏＭＰシナリオ１、２及び３において、各送信ポイントは、セルに対応する。各セルは、異なるＰＤＣＣＨ領域サイズ及びＣＲＳ構成を有してもよい。
ＣＲＳ構成は、ここでは、ＣＲＳアンテナポートの数及び物理的なセルＩＤに依存するＣＲＳ周波数シフトを意味する。
ジョイントプロセシング（ＪＰ）では、ＰＤＳＣＨは、１又は複数のセルから送信されてよく、ダウンリンクアサインメントを送信するセルは、ＰＤＳＣＨを送信してもしなくてもよい。ＰＤＳＣＨ送信は、ＰＤＣＣＨ領域のサイズ及びＰＤＳＣＨを送信するセルのＣＲＳ構成に依存する。以下、短縮して、ＰＤＳＣＨを送信するセルをCell_PDSCHといい、ダウンリンクアサインメントを送信するセルをCell_DLassignmentという。
（エ）「
PDCCH region size
For the JP, the cell(s) transmits (transmit) the PDSCH right after the maximum of PDCCH region(s) of Cell_PDSCH. For the transparent JP, the UE receives the PDSCH right after the PDCCH region of Cell_DLassignment since the UE has no knowledge of the PDCCH region(s) of Cell_PDSCH. 
The UE includes one or two PDCCH symbol(s) for the PDSCH rate-matching when the PDCCH region size of Cell_DLassignment is less than the maximum of PDCCH region size(s) of Cell_PDSCH.
The problem above can be explained with 
Dynamic Cell Selection (DCS for short hereafter). An example of DCS is illustrated in Figure 1 where the cell transmitting the PDCCH is different from the cell transmitting the PDSCH.
（当審訳：「
ＰＤＣＣＨ領域サイズ
ＪＰでは、セルは、Cell_PDSCHのＰＤＣＣＨ領域の最大値のすぐ後にＰＤＳＣＨを送信する。透過的なＪＰでは、ＵＥは、Cell_PDSCHのＰＤＣＣＨ領域に関する知識を持たないので、ＵＥは、Cell_DLassignmentのＰＤＣＣＨ領域のすぐ後にＰＤＳＣＨを受信する。
Cell_DLassignmentのＰＤＣＣＨ領域サイズがCell_PDSCHのＰＤＣＣＨ領域サイズの最大値より小さい場合、ＵＥは、ＰＤＳＣＨレートマッチングのために１つ又は２つのＰＤＣＣＨシンボルを取り込む。
上記の問題は、
動的セル選択（短縮してＤＣＳ)とともに説明される。ＤＣＳの例が図１に図示される。ここで、ＰＤＣＣＨを送信するセルは、ＰＤＳＣＨを送信するセルとは異なっている
（オ）「
CRS placement
CRS placement is dependent on the CRS configurations. For the JP, the cell(s) processes (process) the PDSCH rate-matching according to Cell_PDSCH. For the transparent JP, the UE processes the PDSCH rate-matching according to Cell_DLassignment since the UE has no knowledge of CRS placement(s) of Cell_PDSCH. The UE includes CRS for the PDSCH rate-matching when the CRS placement of Cell_DLassignment is different from that of Cell_PDSCH.
This issue above can also be described with DCS
The Cell B transmits the PDSCH except CRS REs of Cell B, but the UE assumes the PDSCH is transmitted except CRS REs of Cell A.
Decoding performance of PDSCH will be degraded severely because the CRS REs are regarded as the PDSCH RE. Note that it is impossible for UE to cancel or suppress the CRS without the information of Cell_PDSCH. This issue may happen frequently since CRS frequency shifts would be different between neighboring cells in order to mitigate CRS-to-CRS interference.
This issue can be avoided when the CRS placement of Cell_PDSCH is the same as that of Cell_DLassignment or is the subset of CRS placement of Cell_DLassignment. This solution, however, may restrict application scenarios of the JP.」（第３ページ第４行〜第２０行）
（当審訳：「
ＣＲＳ配置
ＣＲＳ配置は、ＣＲＳ構成に依存する。ＪＰでは、セルは、Cell_PDSCHに従ってＰＤＳＣＨレートマッチングを処理する。透過的なＪＰでは、ＵＥは、Cell_PDSCHのＣＲＳ構成に関する知識を持たないので、Cell_DLassignmentに従ってＰＤＳＣＨレートマッチングを処理する。ＵＥは、Cell_DLassignmentのＣＲＳ配置がCell_PDSCHのそれと異なるときには、該ＰＤＳＣＨレートマッチングのためのＣＲＳを取り込む。
上記問題は、ＤＣＳでも説明される。
セルＢは、セルＢのCRS REを除いてＰＤＳＣＨを送信するが、ＵＥは、ＰＤＳＣＨはセルＡのCRS REを除いて送信されるとみなす。
CRS REがPDSCH REとして扱われるため、ＰＤＳＣＨの解読能力は大幅に低下する。ＵＥにとって、Cell_PDSCHの情報なくしてＣＲＳをキャンセル又は抑圧することはできないことに留意すべきである。ＣＲＳ間の干渉を緩和するためにＣＲＳ周波数シフトが近隣セル間で異なるので、この問題がしばしば生じる。
Cell_PDSCHのＣＲＳ配置がCell_DLassignmentのＣＲＳ配置と同じ、又はCell_DLassignmentのＣＲＳ配置の部分集合である場合、この問題は避けることが出来る。しかしながら、この解決策は、ＪＰの適用シナリオを制限する。」）
（カ）「
PDSCH starting position
The problem of PDCCH region size can be handled by signaling the PDSCH starting position
（当審訳：「ＰＤＳＣＨ開始位置
ＰＤＣＣＨ領域サイズの問題は、ＰＤＳＣＨ開始位置をシグナリングすることによって対応することができる。
（キ）「
CRS placement
The issue of CRS placement can be handled by signaling the CRS configurations of Cell_PDSCH. The cell(s) of Cell_PDSCH would be varied dynamically, but the CRS configurations would be rather static. Thus it would be proper to use DL assignment for the information of Cell_PDSCH and RRC signaling for the CRS configurations of CoMP cooperating set. Based on the discussion above, we propose the following:
Proposal 2: Utilize DL assignment for the information of Cell_PDSCH and RRC signaling for the CRS configurations of CoMP cooperating set.
（当審訳：「
ＣＲＳ配置
ＣＲＳ配置の問題は、Cell_PDSCHのＣＲＳ配置をシグナリングすることによって対応することができる。Cell_PDSCHのセルは、動的に変化するが、ＣＲＳ構成は、むしろ静的である。それ故、Cell_PDSCHの情報のためにダウンリンクアサインメントを使用し、ＣｏＭＰ協調セットのＣＲＳ構成のためにＲＲＣシグナリングを使用することが適切である。上記議論に基づいて、我々は、以下を提案する。：
提案２：ダウンリンクアサインメントをCell_PDSCHの情報のために使用し、ＲＲＣシグナリングをＣｏＭＰ協調セットのＣＲＳ構成のために使用する。
（ク）以下の図面が記載されている。
Figure 1:An example of DCS
（当審訳：図１：ＤＣＳの例）
Figure 2:PDCCH regions and CRS placements of Cell A and Cell B
（当審訳：図２：セルＡ及びセルＢのＰＤＣＣＨ領域及びＣＲＳ配置）
イ　そうすると、引用例に記載された発明（以下、「引用発明」という。）は、
（ア）「Cell_DLassignmentのＰＤＣＣＨ領域サイズがCell_PDSCHのＰＤＣＣＨ領域サイズの最大値より小さい場合、ＵＥは、ＰＤＳＣＨレートマッチングのために１つ又は２つのＰＤＣＣＨシンボルを取り込むというＰＤＣＣＨ領域サイズの問題」、
（イ）「ＣＲＳ配置は、ＣＲＳ構成に依存し、ＪＰでは、セルは、Cell_PDSCHに従ってＰＤＳＣＨレートマッチングを処理し、透過的なＪＰでは、ＵＥは、Cell_PDSCHのＣＲＳ構成に関する知識を持たないので、Cell_DLassignmentに従ってＰＤＳＣＨレートマッチングを処理し、ＵＥは、Cell_DLassignmentのＣＲＳ配置がCell_PDSCHのそれと異なるときには、該ＰＤＳＣＨレートマッチングのためのＣＲＳを取り込む、というＣＲＳ配置の問題」であって、ＤＣＳにおいては、
「ＣＲＳ間の干渉を緩和するためにＣＲＳ周波数シフトが近隣セル間で異なるので、セルＢは、セルＢのCRS REを除いてＰＤＳＣＨを送信するが、ＵＥは、ＰＤＳＣＨはセルＡのCRS REを除いて送信されるとみなし、CRS REがPDSCH REとして扱われるため、ＰＤＳＣＨの解読能力は大幅に低下し、ＵＥにとって、Cell_PDSCHの情報なくしてＣＲＳをキャンセル又は抑圧することはできないというＣＲＳ配置の問題」、
を解決するための、以下のとおりのものと認める。
「リリース１１におけるＣｏＭＰ支援のＣｏＭＰシナリオ１、２及び３において、各送信ポイントは、セルに対応し、各セルは、異なるＰＤＣＣＨ領域サイズ及びＣＲＳ構成を有してもよく、ＣＲＳ構成は、ＣＲＳアンテナポートの数及び物理的なセルＩＤに依存するＣＲＳ周波数シフトを意味し、
　ジョイントプロセシング（ＪＰ）では、ＰＤＳＣＨは、１又は複数のセルから送信されてよく、ダウンリンクアサインメントを送信するセル（Cell_DLassignment）は、ＰＤＳＣＨを送信してもしなくてもよく、ＰＤＳＣＨ送信は、ＰＤＣＣＨ領域のサイズ及びＰＤＳＣＨを送信するセルのＣＲＳ構成に依存し、
　動的セル選択（ＤＣＳ）において、ＰＤＣＣＨを送信するセルは、ＰＤＳＣＨを送信するセル（Cell_PDSCH）とは異なっており、
　ＰＤＣＣＨ領域サイズの問題は、ＰＤＳＣＨ開始位置をシグナリングすることによって対応することができ、
　ＣＲＳ配置の問題は、Cell_PDSCHのＣＲＳ配置をシグナリングすることによって対応することができ、
　Cell_PDSCHのセルは、動的に変化するが、ＣＲＳ構成は、むしろ静的である故、Cell_PDSCHの情報のためにダウンリンクアサインメントを使用し、ＣｏＭＰ協調セットのＣＲＳ構成のためにＲＲＣシグナリングを使用する、
　ダウンリンクＣｏＭＰのためのダウンリンク制御シグナリングを受信するＵＥ」
（２）対比（一致点及び相違点）
ア　本件補正発明と引用発明とを対比する。
（ア）引用発明は、ＣｏＭＰで用いられるユーザ側の装置に関するものであって、「ジョイントプロセシング（ＪＰ）では、ＰＤＳＣＨは、１又は複数のセルから送信されてよ」いのであるから、引用発明の「ＵＥ」が、「複数のワイヤレス送信を受信する」ものであることは明らかである。
　してみると、引用発明の「ＵＥ」は、本件補正発明にいう「複数のワイヤレス送信を受信することを容易にするためにユーザ機器（ＵＥ）によって用いられるための装置」に対応するものといえる。
　また、引用発明は、３ＧＰＰの「リリース１１」を想定したものであって、「各送信ポイントは、セルに対応」するから、引用発明の「セル」は、本件補正発明にいう「発展型ノードＢ（ｅＮＢ）」に相当する。
　そして、引用発明の「ＣｏＭＰ協調セット」は、上記ＵＥに対してＣｏＭＰ支援を行う複数のセルのセットであるから、本件明細書の「少なくとも最初は、
ｅＮＢ１０４は、ＵＥ１０８との確立されたワイヤレス接続を有することができ、ＣｏＭＰ測定セット内のサービス提供ノードとして動作し得る
１または複数の追加のｅＮＢ、たとえば、ｅＮＢ１１２および１１６もまた、ＣｏＭＰ測定セット内に含まれ得る
１または複数の追加のｅＮＢは、まとめて「協調ノード」と呼ばれ得る
（イ）引用発明において、各セルは「異なるＣＲＳ構成を有してもよく」、かつ、引用発明の「ＣＲＳ構成」は、「ＣＲＳアンテナポートの数及び物理的なセルＩＤに依存するＣＲＳ周波数シフトを意味する」。
　そして、引用発明は、上記ＣＲＳ配置の問題（上記（１）イ（イ））を解決するために、「静的」である「ＣＲＳ構成」は予め「ＲＲＣシグナリングを使用して」受信し、「動的に変化する」ＰＤＳＣＨを送信するセルに関する情報（「Cell_PDSCHの情報」）は、「ダウンリンクアサインメントを使用」して受信し、予め受信した各セルの「ＣＲＳ構成」の中から、「Cell_PDSCHの情報」に基づいて、ＰＤＳＣＨを送信するセルのＣＲＳ構成を特定するものといえる。
　そうすると、予め受信する「ＣＲＳ構成」は、セル毎に異なる「ＣＲＳアンテナポートの数」及び「ＣＲＳ周波数シフト」が、それぞれどのセルのものかが特定できる形で受信されるものと推認することができ、該予め受信する「ＣＲＳ構成」が、送信ポイントを特定するための「インデックス」を含むかどうかは別として、何らかの「送信ポイントを特定するための情報」を含んでいるということができる。
　してみると、引用発明の「ＣＲＳ構成」は、本件補正発明にいう「複数の発展型ノードＢ（ｅＮＢ）を含む協調マルチポイント（ＣｏＭＰ）測定セットの複数の個々の発展型ノードＢ（ｅＮＢ）のそれぞれに関連づけられた複数の共通基準信号パラメータ（複数のＣＲＳパラメータ）」であって、「前記複数の個々の発展型ノードＢ（ｅＮＢ）のＣＲＳアンテナポートの数、ＣＲＳ周波数シフト及び送信ポイントを特定するための情報を含」む点で、本件補正発明と一致する。
　そして、引用発明は、「ＣｏＭＰ協調セットのＣＲＳ構成のためにＲＲＣシグナリングを使用する」のであるから、本件補正発明にいう「無線リソース制御シグナリング（ＲＲＣシグナリング）を介して受信」する機能を備えているといえる。
　
（ウ）引用発明においては、「ＰＤＣＣＨを送信するセルは、ＰＤＳＣＨを送信するセル（Cell_PDSCH）とは異なっており」、引用発明の「ＵＥ」は、動的に変化するCell_PDSCHを特定するために、「ダウンリンクアサインメントを使用」して「Cell_PDSCHの情報」を受信していることから、上記「ダウンリンクアサインメント」は、上記「ＰＤＣＣＨを送信するセル」から送信されたものと解するのが自然である。
　また、上記「ダウンリンクアサインメント」は、「ＵＥ」が「ＰＤＣＣＨを送信するセル」から受信する制御情報の一種であるから、引用発明の「ダウンリンクアサインメント」と本件補正発明の「下りリンク制御情報メッセージ（ＤＣＩメッセージ）」とは、いずれも「下りリンク制御情報」である点で一致する。
　そうすると、引用発明の「ＰＤＳＣＨを送信するセル（Cell_PDSCH）」は、本件補正発明にいう「協調マルチポイント（ＣｏＭＰ）測定セットの第１のｅＮＢ」に相当し、引用発明の「ＰＤＣＣＨを送信するセル」及び「ダウンリンクアサインメントを送信するセル（Cell_DLassignment）」は、本件補正発明にいう「第２のｅＮＢ」に対応するといえるので、引用発明は、本件補正発明にいう「協調マルチポイント（ＣｏＭＰ）測定セットの第１のｅＮＢに対応する送信ポイントを特定するための情報を含む下りリンク制御情報を受信する」機能を有するものといえ、引用発明の「下りリンク制御情報」は、「第２のｅＮＢから受信」されるといえる。 
（エ）上記（イ）のとおり、引用発明は、予め受信した各セルの「ＣＲＳ構成」の中から、「Cell_PDSCHの情報」に基づいて、「ＰＤＳＣＨを送信するセル」のＣＲＳ構成を特定することでＣＲＳ配置の問題を解決するものであるから、引用発明が、「ＰＤＳＣＨを送信するセル」に対応する「送信ポイントを特定するための情報」を含む予め受信した各セルの「ＣＲＳ構成」に基づいてＣＲＳ配置を特定する機能を有していることは当業者に自明の事項といえる。
　そして、図２のとおり、ＰＤＳＣＨは、別途シグナリングされるＰＤＳＣＨ開始位置以降のＣＲＳを除く領域に配置されるものであるから、引用発明においても、ＰＤＳＣＨの配置を示す「物理下りリンク共有チャネル（ＰＤＳＣＨ）マッピングパターン」を生成しているといえ、引用発明は、「前記第１のｅＮＢの前記送信ポイントを特定するための情報を含む前記複数の共通基準信号（ＣＲＳ）パラメータに基づいて物理下りリンク共有チャネル（ＰＤＳＣＨ）マッピングパターンを生成する」マッピング機能を備えているといえる。
イ　したがって、両者は、
「複数のワイヤレス送信を受信することを容易にするためにユーザ機器（ＵＥ）によって用いられるための装置であって、前記装置は、
　複数の発展型ノードＢ（ｅＮＢ）を含む協調マルチポイント（ＣｏＭＰ）測定セットの複数の個々の発展型ノードＢ（ｅＮＢ）のそれぞれに関連づけられた複数の共通基準信号パラメータ（複数のＣＲＳパラメータ）を無線リソース制御シグナリング（ＲＲＣシグナリング）を介して受信する機能と、
　前記協調マルチポイント（ＣｏＭＰ）測定セットの第１のｅＮＢに対応する送信ポイントを特定するための情報を含む下りリンク制御情報を受信する機能と、
　前記第１のｅＮＢの前記送信ポイントを特定するための情報を含む前記複数の共通基準信号（ＣＲＳ）パラメータに基づいて物理下りリンク共有チャネル（ＰＤＳＣＨ）マッピングパターンを生成する、マッピング機能と、
　を備え、
　前記複数のＣＲＳパラメータは、前記複数の個々の発展型ノードＢ（ｅＮＢ）のＣＲＳアンテナポートの数、ＣＲＳ周波数シフト及び送信ポイントを特定するための情報を含み、
　前記下りリンク制御情報は、前記第１又は第２のｅＮＢから受信される、装置」
である点で一致し、以下の各点で相違している。
［相違点１］　予めＲＲＣシグナリングを介して受信する複数のＣＲＳパラメータに含まれる「送信ポイントを特定するための情報」であって、下りリンク制御情報において「送信ポイントを特定するための情報」が、本件補正発明では「送信ポイントインデックス」であるのに対し、引用発明では、「送信ポイントインデックス」かどうか定かではない点。
［相違点２］　下りリンク制御情報が、本件補正発明では「下りリンク制御情報メッセージ（ＤＣＩメッセージ）」であるのに対し、引用発明では、「ダウンリンクアサインメント」である点。
［相違点３］　本件補正発明では、無線リソース制御シグナリング（ＲＲＣシグナリング）を介して受信する機能と下りリンク制御情報を受信する機能とを実行する「通信モジュール」、及び、「前記通信モジュールに結合され、」マッピング機能を実行する「マッピングモジュール」を備えるのに対し、引用発明では、これらの機能を実行する部分が「通信モジュール」及び「前記通信モジュールに結合され」た「マッピングモジュール」であるかどうか定かではない点。
［相違点４］　複数のＣＲＳパラメータが、本件補正発明では、「協調マルチポイント（ＣｏＭＰ）測定セットの第２のｅＮＢから受信され」るのに対し、引用発明では、どこから受信されるか定かではない点。
（３）判断
ア　上記各相違点につき判断する。
［相違点１]
　ＵＥと通信を行うことが想定されている複数のｅＮＢに予め少ないビット数からなるインデックスを付与し、以後のＵＥとｅＮＢとの通信では該インデックスを用いてｅＮＢを特定することは、当該技術分野における周知技術（例えば、国際公開第２０１１／０４６３３４号（査定時の引用文献３。特に、段落４１及び段落５５参照。対応する特表２０１３−５０７８２１号公報の段落３２及び段落４６参照。）又は特開２０１０−２５８６１２号公報（特に、段落１５−１７、段落１２０、段落１２４−１２７参照。））である。
　引用発明において、予めＲＲＣシグナリングを介して受信するＣＲＳ構成に、各ｅＮＢに対応する少ないビット数の「送信ポイントインデックス」を含めておき、後の下りリンク制御信号で、ＰＤＳＣＨを送信するセルに対応する「送信ポイントインデックス」を受信して送信ポイントを特定することは、当業者が上記周知技術に基づいて容易に想到し得ることである。
　また、これによる効果も引用発明及び周知技術から予測できる範囲のものである。
［相違点２］
　下りリンク制御情報を「下りリンク制御情報メッセージ（ＤＣＩメッセージ）」として受信することは、当該技術分野の周知技術（例えば、上記国際公開第２０１１／０４６３３４号（査定時の引用文献３。特に、段落２、段落４１及び段落５５参照。対応する特表２０１３−５０７８２１号公報の段落２、段落３２及び段落４６参照。）、国際公開第２００８／１５６０６４号（特に、段落８−９参照。）又は国際公開２０１１／１３５９６４号（特に、段落１７参照。））であり、相違点２に係る構成とすることに格別の困難性はない。
　また、これによる効果も引用発明及び周知技術から予測できる範囲のものである。
［相違点３］
　ＲＲＣシグナリング及び下りリンク制御信号を、携帯端末の受信部で受信することは、例示するまでもなく周知技術であり、引用発明において、これらの信号を受信する受信部を「通信モジュール」とすることも、当業者が適宜なし得る設計的事項といえる。
　また、マッピング機能は、予めＲＲＣシグナリングを介して受信したＣＲＳ構成と、下りリンク制御信号に含まれるダウンリンクアサインメントとを用いて実行される機能であるところ、該マッピング機能を実行する部分をモジュール化して「マッピングモジュール」とし、「前記通信モジュールに結合」することも、当業者が適宜なし得ることである。
　これらによる効果も引用発明及び周知技術から予測できる範囲のものである。
 ［相違点４］
　引用発明は、ＣｏＭＰ協調セットにおいて、ＰＤＣＣＨを送信するセル（サービングセル）とＰＤＳＣＨを送信するセルとが異なる場合に生じるＣＲＳ配置の問題を解決するために、静的なＣＲＳ構成は予めＲＲＣシグナリングを介して受信するように構成したものであるところ、ＣｏＭＰ協調セットのサービングセルがＲＲＣシグナリングによるＣＲＳ構成の送信とＰＤＣＣＨの送信とを行い、他のセルがＰＤＳＣＨの送信を行うように構成することは、引用発明に触れた当業者が容易に想到し得るＣｏＭＰ協調の態様であるといえ、相違点４に係る構成とすることに格別の困難性はない。
　また、これによる効果も引用発明及び周知技術から予測できる範囲のものである。
イ　以上判断したとおり、本件補正発明における上記相違点１から４までに係る構成はいずれも当業者が容易に想到し得たものであり、また、各相違点を総合しても本件補正発明は当業者が想到することが困難なものとはいえない。
　そして、本件補正発明の作用効果も、上記引用発明及び周知技術から当業者が予測できる範囲のものである。
　
　よって、本件補正発明は、上記引用例に記載された発明及び周知技術に基づいて、当業者が容易に発明をすることができたものであるから、特許法第２９条第２項の規定により特許出願の際独立して特許を受けることができないものである。
　
　上記（１）〜（３）のとおりであるから、本件補正は、同法第１７条の２第６項において準用する同法第１２６条第７項の規定に違反するものであり、同法第１５９条第１項の規定において読み替えて準用する同法第５３条第１項の規定により却下されるべきものである。
　
　したがって、上記補正却下の決定の結論のとおり決定する。
第３　本願発明について
１　本願発明
　平成２８年２月１５日付けの手続補正は上記のとおり却下されたので、本願の請求項１から２４までに係る発明は、平成２７年６月２日付け手続補正書の特許請求の範囲の請求項１から２４までに記載された事項により特定されるものであると認められるところ、その請求項１に記載された発明（以下、「本願発明」という。）は以下のとおりのものである。
「【請求項１】
　複数のワイヤレス送信を受信することを容易にするためにユーザ機器（ＵＥ）によって用いられるための装置であって、前記装置は、
　複数の発展型ノードＢ（ｅＮＢ）を含む協調マルチポイント（ＣｏＭＰ）測定セットの複数の個々の発展型ノードＢ（ｅＮＢ）のそれぞれに関連づけられた複数の送信ポイントインデックスをそれぞれ含む複数の共通基準信号（ＣＲＳ）パラメータを受信し、
　前記協調マルチポイント（ＣｏＭＰ）測定セットの第１のｅＮＢに対応する送信ポイントインデックスを受信する
　通信モジュールと、
　前記通信モジュールに結合され、前記第１のｅＮＢの前記送信ポイントインデックスを含む前記複数の共通基準信号（ＣＲＳ）パラメータに基づいて物理下りリンク共有チャネル（ＰＤＳＣＨ）マッピングパターンを生成する、マッピングモジュールと
　を備える、装置。」
２　引用例に記載されている技術的事項及び引用発明の認定
　原査定の拒絶の理由に引用された、引用例に記載される引用発明は、前記第２［理由］２（１）イに記載したとおりである。
３　対比・判断
　本願発明は、前記第２［理由］２（２）及び（３）で検討した本件補正発明から「通信モジュール」についての、
「複数の共通基準信号パラメータ（複数のＣＲＳパラメータ）を無線リソース制御シグナリング（ＲＲＣシグナリング）を介して受信し、
　前記協調マルチポイント（ＣｏＭＰ）測定セットの第１のｅＮＢに対応する送信ポイントインデックスを含む下りリンク制御情報メッセージ（ＤＣＩメッセージ）を受信する」、及び、
「前記複数のＣＲＳパラメータは、前記複数の個々の発展型ノードＢ（ｅＮＢ）のＣＲＳアンテナポートの数、ＣＲＳ周波数シフト及び送信ポイントインデックスを含み、
　前記複数のＣＲＳパラメータは、前記協調マルチポイント（ＣｏＭＰ）測定セットの第２のｅＮＢから受信され、
　前記ＤＣＩメッセージは、前記第１又は第２のｅＮＢから受信される」
との限定を削除したものである。
　そうすると、本願発明の発明特定事項を全て含む本件補正発明が、前記第２［理由］２（３）に記載したとおり、引用発明及び当該技術分野の周知技術に基づいて当業者が容易に発明をすることができたものであるから、上記特定の限定を省いた本願発明も同様の理由により、引用発明及び当該技術分野の周知技術に基づいて、当業者が容易に発明をすることができたものである。
４　むすび
　以上のとおり、本願の請求項１に係る発明は、上記引用例に記載された発明及び周知技術に基づいて、当業者が容易に発明をすることができたものであるから、特許法第２９条第２項の規定により特許を受けることができない。
　したがって、本願の他の請求項について検討するまでもなく、本願は拒絶されるべきものである。
　
　よって、結論のとおり審決する。